(57)【要約】【課題】機器の前面に配置された開閉式操作パネルの開いている時、閉じている時のいずれも赤外線信号を加熱調理器上方に配置された換気装置の受信手段に受信させる事ができ、通信の確実性の差異を利用し、不要な送信をなくし送信手段の高寿命化を図ること。【解決手段】機器の上面に配置された天面操作表示部４０と、機器前面に配置された開閉式操作パネル２２と、開閉式操作パネル２２上または、天面操作表示部４０上に配置された天面スイッチ１６、後ろスイッチ２３と、開閉式操作パネル２２上に配置された換気スイッチ２５と、天面スイッチ１６、後ろスイッチ２３の操作に従って、加熱手段を制御する制御手段３１と、開閉式操作パネル２２が開いている時に、機器の上方に赤外線信号を発信するよう配置された第１の発信手段２６と、開閉式操作パネル２２が閉じている時に、機器の前方に赤外線信号を発信するよう配置された第２の発信手段２７を備える。【選択図】図５
2010025401.tif 000002
【特許請求の範囲】
【請求項１】
耐熱強化ガラスからなるトッププレートと、前記トッププレート下に配置され、前記トッププレート上に置かれた被加熱物を加熱する加熱手段と、機器の上面に配置された天面操作表示部と、機器前面に配置された開閉式操作パネルと、前記開閉式操作パネル上または、前記天面操作表示部上に配置された加熱制御操作キーと、前記開閉式操作パネル上に配置された換気装置の入、切、風量調整キーと、前記加熱制御操作キーの操作に従って、前記加熱手段を制御する制御手段と、前記開閉式操作パネルが開いている時に、機器の上方に赤外線信号を発信するよう配置された第１の発信手段と、前記開閉式操作パネルが閉じている時に、機器の前方に赤外線信号を発信するよう配置された第２の発信手段とを備え、前記制御手段は、前記天面操作表示部上方に配置され、前記第１の発信手段、前記第２の発信手段、より発信した赤外線信号を受信する受信手段をもつ換気装置を制御する機能を持ち、前記制御手段は、前記加熱制御操作キーの操作に従って前記加熱手段が加熱を開始する時に、前記第１の発信手段もしくは第２の発信手段から複数回同一の加熱オン信号を換気装置に発信し、前記加熱制御操作キーの操作に従って前記加熱手段が加熱を停止する時に、前記第１の発信手段もしくは第２の発信手段から複数回同一の加熱オフ信号を換気装置に発信し、前記換気装置の入、切、風量調節キーが操作されたときは、其の操作毎に１回のみ所定の信号をすくなくとも前記第１の発信手段から換気装置に発信する加熱調理器。
【請求項２】
耐熱強化ガラスからなるトッププレートと、前記トッププレート下に配置され、前記トッププレート上に置かれた被加熱物を加熱する加熱手段と、機器の面に配置された天面操作表示部と、機器前面に配置された開閉式操作パネルと、前記開閉式操作パネル上または、前記天面操作表示部上に配置された加熱制御操作キーと、前記開閉式操作パネル上に配置された換気装置の入、切、風量調節キーと、前記加熱制御操作キーの操作に従って、前記加熱手段を制御する制御手段と、前記開閉式操作パネルが開いている時に、機器の上方に赤外線信号を発信するよう配置された第１の発信手段と、前記開閉式操作パネルが閉じている時に、機器の前方に赤外線信号を発信するよう配置された第２の発信手段とを備え、前記制御手段は、前記天面操作表示部上方に配置され、前記第１の発信手段、前記第２の発信手段、より発信した赤外線信号を受信する受信手段をもつ換気装置を制御する機能を持ち、前記制御手段は、前記天面操作表示部内の加熱制御操作キーの操作に従って前記加熱手段が加熱を開始する時に、前記第１の発信手段もしくは第２の発信手段から複数回同一の加熱オン信号を換気装置に発信し、前記天面操作部の加熱制御操作キーの操作に従って前記加熱手段が加熱を停止する時に、前記第１の発信手段もしくは第２の発信手段から複数回同一の加熱オフ信号を換気装置に発信し、前記開閉式操作パネル内の加熱制御操作キーの操作に従って前記加熱手段が加熱を開始する時もしくは、前記開閉式操作パネル内の加熱制御操作キーの操作に従って前記加熱手段が加熱を停止する時もしくは前記換気装置の入、切、風量調節キーが操作されたときは、其の操作毎に１回のみ所定の信号をすくなくとも前記第１の発信手段から換気装置に発信する加熱調理器。
【請求項３】
天面操作表示部もしくは開閉式操作パネル内の操作キーを操作して残時間を設定すると、設定した残時間経過後に加熱手段の加熱を停止するタイマ停止手段を備え、時間経過し、自動で前記加熱手段の加熱を停止する時に、第１の発信手段もしくは第２の発信手段から複数回同一の加熱オフ信号を換気装置に発信する請求項１、２に記載の加熱調理器。
【請求項４】
あらかじめ決めたシーケンスに従って加熱手段の加熱動作を制御する自動調理手段を備え、前記自動調理手段の前記シーケンスが終了し、自動で前記加熱手段の加熱を停止する時に、第１の発信手段もしくは第２の発信手段から複数回同一の加熱オフ信号を換気装置に発信する請求項１、２に記載の加熱調理器。
【発明の詳細な説明】
【技術分野】
【０００１】
本発明は、換気扇との通信用投光部を備えた加熱調理器に関する。
【背景技術】
【０００２】
従来、この種の加熱調理器において換気扇との通信用投光部を備えるものとしては、図１０に示すように、流し台のキャビネット１０１上部に加熱調理器１０２が設置され、この加熱調理器１０２に複数のコンロ１０３が設置されている。このコンロ１０３の上方に、換気扇１０４が配置されているものがある。
【０００３】
キャビネット１０１の前面の上部に、通信用のリモートコントロールスイッチ１０５が出し入れ可能に設けられている。このリモートコントロールスイッチ１０５には、赤外線の光信号を発する通信用投光部１０５ａ及び操作スイッチが設けられている。一方、上記換気扇１０４の前下部に、通信用受光部１０６が設けられている。
【０００４】
リモートコントロールスイッチ１０５を、図１０に示すのように前方へ突出させた状態において、使用者が当該リモートコントロールスイッチ１０５の操作スイッチを操作すると、通信用投光部１０５ａから赤外線の光信号が上方に向けて発せられる。そして、換気扇１０４の通信用受光部１０６にてその光信号を受信すると、その信号に応じて換気扇１０４の運転が制御される構成となっている（例えば、特許文献１参照）。
【特許文献１】特開平１０−０５７２６０号公報
【発明の開示】
【発明が解決しようとする課題】
【０００５】
しかしながら、前記従来の構成では、図１０に示す構成においては、リモートコントロールスイッチ１０５が図１０示すように前方へ突出させた状態で通信用投光部部１０５ａが光信号を発した場合は、光信号はキャビネット１０１に遮られる事なく換気扇１０４の通信用受光部１０６に到達するが、リモートコントロールスイッチ１０５が加熱調理器１０２本体に収められた状態で通信用投光部部１０５ａが光信号を発した場合は、光信号が加熱調理器１０２本体とキャビネット１０１に遮られて換気扇１０４の通信用受光部１０６に到達しないという課題を有していた。
【０００６】
本発明は、前記従来の課題を解決するもので、前面に配置された開閉式操作パネルの開いている時、閉じている時のいずれも赤外線信号を加熱調理器上方に配置された換気装置の受信手段に受信させる事ができ、また、赤外線通信の確実性の差異を利用し、開閉式操作パネル開の時は、其の操作毎に一回のみ赤外線信号を送信し、開閉式操作パネル閉であるか開閉式操作パネル開であるか不確定の時は、其の操作毎に複数回同一の赤外線信号を送信することで、不要な赤外線送信をなくすことができ送信手段である赤外線ＬＥＤの高寿命化を促進することができる。以上のように、本発明では換気装置との赤外線通信を高信頼性なもので且つ赤外線通信回路を高寿命なものとした加熱調理器を提供することを目的とする。
【課題を解決するための手段】
【０００７】
本発明は、耐熱強化ガラスからなるトッププレートと、前記トッププレート下に配置され、前記トッププレート上に置かれた被加熱物を加熱する加熱手段と、機器の上面に配置された天面操作表示部と、機器前面に配置された開閉式操作パネルと、前記開閉式操作パネル上または、前記天面操作表示部上に配置された加熱制御操作キーと、前記開閉式操作パネル上に配置された換気装置の入、切、風量調整キーと、前記加熱制御操作キーの操作
に従って、前記加熱手段を制御する制御手段と、前記開閉式操作パネルが開いている時に、機器の上方に赤外線信号を発信するよう配置された第１の発信手段と、前記開閉式操作パネルが閉じている時に、機器の前方に赤外線信号を発信するよう配置された第２の発信手段とを備え、前記制御手段は、前記天面操作表示部上方に配置され、前記第１の発信手段、前記第２の発信手段、より発信した赤外線信号を受信する受信手段をもつ換気装置を制御する機能を持ち、前記制御手段は、前記加熱制御操作キーの操作に従って前記加熱手段が加熱を開始する時に、前記第１の発信手段もしくは第２の発信手段から複数回同一の加熱オン信号を換気装置に発信し、前記加熱制御操作キーの操作に従って前記加熱手段が加熱を停止する時に、前記第１の発信手段もしくは第２の発信手段から複数回同一の加熱オフ信号を換気装置に発信し、前記換気装置の入、切、風量調節キーが操作されたときは、其の操作毎に１回のみ所定の信号をすくなくとも前記第１の発信手段から換気装置に発信することで、前記開閉式操作パネルが開いている場合は、主に第１の発信手段で赤外線信号を上方に発して、前記換気装置に直接、赤外線信号を受信させ、前記開閉式操作パネルが閉じている場合は、主に第２の発信手段で赤外線信号を前方に発して、前記加熱調理器の前方にいる使用者や部屋の壁などの障害物に反射させて前記換気装置に赤外線信号を受信させることができ、操作パネルの開閉状態、使用者の立つ位置に関わらず、信頼性の高い赤外線信号の受け渡しが可能となる。
【０００８】
また、開閉式操作パネルが開の時の赤外線発信は、開閉式操作パネルが閉の時に比べて、直接換気装置への赤外線発信であり、赤外線通信の信頼性が高いことより、操作パネルを開いているときの操作である換気装置の入、切、風量調節キーが操作されたときは、其の操作毎に１回のみ所定の信号発信とすることで、不要な赤外線発振を省くことができ、発信手段である赤外線ＬＥＤの高寿命化を促進することができる。
【０００９】
また、換気装置の入、切、風量調節キーの赤外線発振回数を１回のみで短くしたことにより、キーの連続押し時の赤外信号出力応答性を高めることができ使い勝手が良い。換気装置の風量調節キーは実用においても連続押しされる使い方が想定され、発振回数を１回とすることは、操作性の向上につながる。
【００１０】
また、換気装置の入、切、風量調節キーのように、操作パネルが開かないと操作できないキーとその他操作スイッチを識別して、赤外線発振回数を切り替えているため、操作パネルの開閉検知手段は不要であり安価な構成となる。
【発明の効果】
【００１１】
本発明では、前面に配置された開閉式操作パネルの開いている時、閉じている時のいずれも赤外線信号を加熱調理器上方に配置された換気装置の受信手段に受信させる事ができることに加え、、赤外線通信の確実性の差異を利用し、操作パネル開の時は、其の操作毎に一回のみ赤外線信号を送信し、操作パネル閉であるか操作パネル開であるか不確定の時は、其の操作毎に複数回同一の赤外線信号を送信することで、不要な赤外線送信をなくすことができ送信手段である赤外線ＬＥＤの高寿命化を促進することができる。
【発明を実施するための最良の形態】
【００１２】
第１の発明は、耐熱強化ガラスからなるトッププレートと、前記トッププレート下に配置され、前記トッププレート上に置かれた被加熱物を加熱する加熱手段と、機器の上面に配置された天面操作表示部と、機器前面に配置された開閉式操作パネルと、前記開閉式操作パネル上または、前記天面操作表示部上に配置された加熱制御操作キーと、前記開閉式操作パネル上に配置された換気装置の入、切、風量調整キーと、前記加熱制御操作キーの操作に従って、前記加熱手段を制御する制御手段と、前記開閉式操作パネルが開いている時に、機器の上方に赤外線信号を発信するよう配置された第１の発信手段と、前記開閉式操作パネルが閉じている時に、機器の前方に赤外線信号を発信するよう配置された第２の
発信手段とを備え、前記制御手段は、前記天面操作表示部上方に配置され、前記第１の発信手段、前記第２の発信手段、より発信した赤外線信号を受信する受信手段をもつ換気装置を制御する機能を持ち、前記制御手段は、前記加熱制御操作キーの操作に従って前記加熱手段が加熱を開始する時に、前記第１の発信手段もしくは第２の発信手段から複数回同一の加熱オン信号を換気装置に発信し、前記加熱制御操作キーの操作に従って前記加熱手段が加熱を停止する時に、前記第１の発信手段もしくは第２の発信手段から複数回同一の加熱オフ信号を換気装置に発信し、前記換気装置の入、切、風量調節キーが操作されたときは、其の操作毎に１回のみ所定の信号をすくなくとも前記第１の発信手段から換気装置に発信することで、前記開閉式操作パネルが開いている場合は、主に第１の発信手段で赤外線信号を上方に発して、前記換気装置に直接、赤外線信号を受信させ、前記開閉式操作パネルが閉じている場合は、主に第２の発信手段で赤外線信号を前方に発して、前記加熱調理器の前方にいる使用者や部屋の壁などの障害物に反射させて前記換気装置に赤外線信号を受信させることができ、操作パネルの開閉状態、使用者の立つ位置に関わらず、信頼性の高い赤外線信号の受け渡しが可能となる。
【００１３】
また、開閉式操作パネルが開の時の赤外線発信は、開閉式操作パネルが閉の時に比べて、直接換気装置への赤外線発信であり、赤外線通信の信頼性が高いことより、操作パネルを開いているときの操作である換気装置の入、切、風量調節キーが操作されたときは、其の操作毎に１回のみ所定の信号発信とすることで、不要な赤外線発振を省くことができ、発信手段である赤外線ＬＥＤの高寿命化を促進することができる。
【００１４】
また、換気装置の入、切、風量調節キーの赤外線発振回数を１回のみで短くしたことにより、キーの連続押し時の赤外信号出力応答性を高めることができ使い勝手が良い。換気装置の風量調節キーは実用においても連続押しされる使い方が想定され、発振回数を１回とすることは、操作性の向上につながる。
【００１５】
また、換気装置の入、切、風量調節キーのように、操作パネルが開かないと操作できないキーとその他操作スイッチを識別して、赤外線発振回数を切り替えているため、操作パネルの開閉検知手段は不要であり安価な構成となる。
【００１６】
第２の発明は、耐熱強化ガラスからなるトッププレートと、前記トッププレート下に配置され、前記トッププレート上に置かれた被加熱物を加熱する加熱手段と、機器の面に配置された天面操作表示部と、機器前面に配置された開閉式操作パネルと、前記開閉式操作パネル上または、前記天面操作表示部上に配置された加熱制御操作キーと、前記開閉式操作パネル上に配置された換気装置の入、切、風量調節キーと、前記加熱制御操作キーの操作に従って、前記加熱手段を制御する制御手段と、前記開閉式操作パネルが開いている時に、機器の上方に赤外線信号を発信するよう配置された第１の発信手段と、前記開閉式操作パネルが閉じている時に、機器の前方に赤外線信号を発信するよう配置された第２の発信手段とを備え、前記制御手段は、前記天面操作表示部上方に配置され、前記第１の発信手段、前記第２の発信手段、より発信した赤外線信号を受信する受信手段をもつ換気装置を制御する機能を持ち、前記制御手段は、前記天面操作表示部内の加熱制御操作キーの操作に従って前記加熱手段が加熱を開始する時に、前記第１の発信手段もしくは第２の発信手段から複数回同一の加熱オン信号を換気装置に発信し、前記天面操作部の加熱制御操作キーの操作に従って前記加熱手段が加熱を停止する時に、前記第１の発信手段もしくは第２の発信手段から複数回同一の加熱オフ信号を換気装置に発信し、前記開閉式操作パネル内の加熱制御操作キーの操作に従って前記加熱手段が加熱を開始する時もしくは、前記開閉式操作パネル内の加熱制御操作キーの操作に従って前記加熱手段が加熱を停止する時もしくは前記換気装置の入、切、風量調節キーが操作されたときは、其の操作毎に１回のみ所定の信号をすくなくとも前記第１の発信手段から換気装置に発信することで、前記開閉式操作パネルが開いている場合は、主に第１の発信手段で赤外線信号を上方に発して、前
記換気装置に直接、赤外線信号を受信させ、前記開閉式操作パネルが閉じている場合は、主に第２の発信手段で赤外線信号を前方に発して、前記加熱調理器の前方にいる使用者や部屋の壁などの障害物に反射させて前記換気装置に赤外線信号を受信させることができ、操作パネルの開閉状態、使用者の立つ位置に関わらず、信頼性の高い赤外線信号の受け渡しが可能となる。
【００１７】
また、開閉式操作パネルが開の時の赤外線発信は、開閉式操作パネルが閉の時に比べて、直接換気装置への赤外線発信であり、赤外線通信の信頼性が高いことより、操作パネルを開いているときの操作である換気装置の入、切、風量調節キーが操作されたときや操作パネルの加熱制御操作キーが操作されたときは、其の操作毎に１回のみ所定の信号発信とすることで、不要な赤外線発振を省くことができ、発信手段である赤外線ＬＥＤの高寿命化を促進することができる。
【００１８】
また、操作パネル開の時の赤外線発振回数を１回のみで短くしたことにより、キーの連続押し時の赤外信号出力応答性を高めることができ使い勝手が良い。換気装置の風量調節キーは実用においても連続押しされる使い方が想定され、発振回数を１回とすることは、操作性の向上につながる。
【００１９】
また、操作パネルが開かないと操作できないキーとその他操作スイッチを識別して、赤外線発振回数を切り替えているため、操作パネルの開閉検知手段は不要であり安価な構成となる。
【００２０】
第３の発明は、特に、第１または第２の発明において、天面操作表示部もしくは開閉式操作パネル内の操作キーを操作して残時間を設定すると、設定した残時間経過後に加熱手段の加熱を停止するタイマ停止手段を備え、時間経過し、自動で前記加熱手段の加熱を停止する時に、前記第１の発信手段もしくは第２の発信手段から複数回同一の加熱オフ信号を換気装置に発信することで、使用者の有無、機器の操作パネルの開閉状況にかかわらす、タイマ調理終了時の換気装置との赤外線通信を信頼性高く行なうことができる。例えば、タイマ調理終了時、換気装置の動作を停止させたり、その風量を小さくすしたりすれば、不要な換気動作を削減でき省エネ効果がある。
【００２１】
第４の発明は、特に、第１または第２の発明において、あらかじめ決めたシーケンスに従って加熱手段の加熱動作を制御する自動調理手段を備え、前記自動調理手段の前記シーケンスが終了し、自動で加熱手段の加熱を停止する時に、第１の発信手段もしくは第２の発信手段から複数回同一の加熱オフ信号を換気装置に発信することで、使用者の有無、機器の操作パネルの開閉状況にかかわらす、自動調理終了時の換気装置との赤外線通信を信頼性高く行なうことができる。例えば、自動調理終了時、換気装置の動作を停止させたり、その風量を小さくすしたりすれば、不要な換気動作を削減でき省エネ効果がある。
【００２２】
以下、本発明の実施の形態について、図面を参照しながら説明する。なお、本実施の形態によって、本発明が限定されるものではない。
【００２３】
（実施の形態１）
図１は、本発明の加熱調理器である誘導加熱調理器と通信を行う換気扇の外観を示す。
【００２４】
誘導加熱調理器１は、キッチンのキャビネット２に組み込まれたビルトインタイプであり、この誘導加熱調理器１の上方に配置された換気装置３はレンジフード４と換気扇５、受信部６、換気扇操作部７からなる。
【００２５】
誘導加熱調理器１は、図２に示すように外郭９とその上部の板状のトッププレート１０
と天面操作表示部４０により覆われている。トッププレート１０は、耐熱強化ガラスからなり、トッププレート１０上に鍋などの加熱物１１が置かれる。
【００２６】
トッププレート１０下方には、調理用の加熱手段を構成する左ＩＨ用の加熱コイル１２と、右ＩＨ用の加熱コイル１３、後ろＩＨ用の加熱コイル１４が配設されている。左右の両加熱コイル１２、１３の前方側天面操作表示部４０内には、左右の両加熱コイル１２、１３の加熱開始、加熱停止、火力の設定、残時間の設定、自動調理メニューの選択を行う天面スイッチ１６と、左右の両加熱コイル１２、１３の加熱の状態を表示する天面表示部１７が配置されている。
【００２７】
外郭９内の右側には、加熱コイル１２、１３、１４用のインバータ回路１８が配置されている。
【００２８】
トッププレート１０上には、加熱コイル１２、１３、１４に対応した円形の加熱物載置部１９、２０、２１が表示されている。
【００２９】
外郭９の前部の右側には、開閉可能な操作パネル２２が設けられている。開閉式操作パネル２２は、後ろのコイル１４の加熱開始、加熱停止、火力の設定、残時間の設定、自動調理メニューの選択を行う後ろスイッチ２３と、後ろの加熱コイル１４の加熱の状態を表示する後ろ表示部２４が配置されている。
【００３０】
開閉式操作パネル２２には、換気扇５の動作開始、動作停止、風量の設定を行う換気扇スイッチ２５も配置されている。
【００３１】
開閉式操作パネル２２は、閉じた状態では、図３に示すようにキャビネット２に収容されている。この状態で、開閉式操作パネル２２上部を押すと、開閉式操作パネル２２はその下端部を支点に手前に回転しながら、図４に示すようにキャビネット２前方に出っ張り、操作が可能になる。
【００３２】
開閉式操作パネル２２には、約９４０ｎｍの波長の赤外線を発光する赤外線ＬＥＤが複数配置される。後ろスイッチ２３と同一面上に配置された赤外線ＬＥＤを第１の発信手段２６、開閉式操作パネル２２が閉じた時に、垂直になる面上に配置された赤外線ＬＥＤを第２の発信手段２７とする。
【００３３】
図５に本実施の形態のブロック図を示す。
【００３４】
天面スイッチ１６、天面操作部１７の制御は、天面制御部１５で行う。誘導加熱調理器１全体の制御は制御部３１で行う。
【００３５】
誘導加熱調理器１が左ＩＨ用の加熱コイル１２の加熱を行う場合、使用者は、天面スイッチ１６で、加熱コイル１２の加熱開始の操作を行う。
【００３６】
天面制御部１５は、天面スイッチ１６の操作を検知すると、加熱コイル１２の加熱開始の操作が行われた事を制御部３１に知らせるとともに、天面表示部１７に加熱コイル１２の加熱の有無と火力を表示する。制御部３１は、天面制御部１５より加熱開始の情報を受け取ると、インバータ回路１８に左ＩＨ用の加熱コイル１２の加熱開始の指示を送り、インバータ回路１８が加熱コイル１２の加熱動作を行う。この時の左ＩＨ用の加熱コイル１２の火力はあらかじめ機器に設定している火力である。
【００３７】
天面スイッチ１６で加熱動作開始する時、第１の発信手段２６及び第２の発信手段２７
で赤外線信号を換気装置４の受信部６へ加熱オン信号を送信するが、送信の経路は開閉式操作パネル２２が閉まっている状態であれば図８に示すように、使用者の反射を利用して主に第２の発信手段で行われ、開閉式操作パネル２２が開いている状態であれば図９に示すように、換気装置３の受信部６に直線的に主に第１の発信手段で行われる。天面スイッチ操作で赤外線出力するときは、操作パネルの状態は不確定であるため、通信の信頼性を高めるため、図５に示すように、１回の操作毎に同じ通信コマンドを２回赤外線送信する。
【００３８】
加熱コイル１２の加熱を停止する際は、使用者が天面スイッチ１６で左ＩＨ用の加熱コイル１２の加熱停止操作を行うと、天面制御部１５が制御部３１に操作内容を伝えると共に天面表示部１７に左ＩＨ用の加熱コイル１２の加熱停止を表示し、制御部３１はインバータ回路１８に加熱コイル１２の加熱停止を指示して、インバータ回路１８が加熱コイル１２の加熱を停止する。
【００３９】
天面スイッチ１６で加熱動作停止する時も、加熱動作開始するときと同様、第１の発信手段２６及び第２の発信手段２７で赤外線信号を換気装置３の受信部６へ加熱オフ信号を送信し、送信の経路は開閉式操作パネル２２が閉まっている状態であれば図８に示すように、使用者の反射を利用して主に第２の発信手段で行われ、開閉式操作パネル２２が開いている状態であれば図９に示すように、換気装置４の受信部６に直線的に主に第１の発信手段２６で行われる。天面スイッチ１６による加熱動作停止の時も開閉式操作パネル２２の状態は不確定であるため、通信の信頼性を高めるため、図５に示すように、１階の操作毎に同じ通信コマンドを２回赤外線送信する。
【００４０】
次に操作パネル２２内に配置された換気扇スイッチ２３を操作したときは、第１の発信手段２６及び第２の発信手段２７で赤外線信号を発信し、発信する赤外線信号は、換気扇５の動作開始、動作停止、風量を指示するものであるが、換気扇スイッチ２３が開閉式操作パネル２２に配置されているため送信の経路は図９に示すように、換気装置３の受信部６に直線的に主に第１の発信手段２６で行われる。反射を利用した通信に比べ、直線的に発信することは、通信の確度が高いため、図５に示すように換気扇スイッチ２３を操作したときの赤外線送信は、１回の操作に対して１回のみ送信動作する。
【００４１】
以上のように、本実施の形態によれば、開閉式操作パネル２２が開いている場合は、主に第１の発信手段２６で赤外線信号を上方に発して、換気装置３に直接、赤外線信号を受信させ、開閉式操作パネル２２が閉じている場合は、主に第２の発信手段２７で赤外線信号を前方に発して、加熱調理器の前方にいる使用者や部屋の壁などの障害物に反射させて換気装置３に赤外線信号を受信させることができ、開閉式操作パネル２２の開閉状態、使用者の立つ位置に関わらず、信頼性の高い赤外線信号の受け渡しが可能となる。
【００４２】
また、開閉式操作パネル２２が開の時の赤外線発信は、開閉式操作パネル２２が閉の時に比べて、直接換気装置への赤外線発信であり、赤外線通信の信頼性が高いことより、開閉式操作パネルを開いているときの操作である換気装置３の入、切、風量調節キーが操作されたときは、其の操作毎に１回のみ所定の信号発信とすることで、不要な赤外線発振を省くことができ、発信手段である赤外線ＬＥＤの高寿命化を促進することができる。
【００４３】
また、換気装置の入、切、風量調節キーの赤外線発振回数を１回のみで短くしたことにより、キーの連続押し時の赤外信号出力応答性を高めることができ使い勝手が良い。換気装置の風量調節キーは実用においても連続押しされる使い方が想定され、発振回数を１回とすることは、操作性の向上につながる。
【００４４】
また、換気装置の入、切、風量調節キーのように、操作パネルが開かないと操作できな
いキーとその他操作スイッチを識別して、赤外線発振回数を切り替えているため、操作パネルの開閉検知手段は不要であり安価な構成となる。
【００４５】
（実施の形態２）
図６は実施の形態２のブロック図と、赤外線出力タイミングを示したものである。
【００４６】
天面スイッチ１６の操作で加熱開始、加熱停止した場合、開閉式操作パネル２２の状態は不確定であるため、其の操作毎に２回同一の赤外線出力を行うが、開閉式操作パネル２２内のスイッチ操作である換気扇スイッチ２３や後ろスイッチ２４が操作された場合は、開閉式操作パネル２２は確実に開かれた状態にあり、換気装置３の受信部６への直線的な赤外線となり其の通信の確度が大きいため、出力其の操作毎に１回のみの赤外線出力としている。
【００４７】
以上のように、本実施の形態によれば、開閉式操作パネル２２が開いている場合は、主に第１の発信手段２６で赤外線信号を上方に発して、換気装置４に直接、赤外線信号を受信させ、開閉式操作パネル２２が閉じている場合は、主に第２の発信手段２７で赤外線信号を前方に発して、加熱調理器の前方にいる使用者や部屋の壁などの障害物に反射させて前記換気装置に赤外線信号を受信させることができ、操作パネルの開閉状態、使用者の立つ位置に関わらず、信頼性の高い赤外線信号の受け渡しが可能となる。
【００４８】
また、開閉式操作パネル２２が開の時の赤外線発信は、開閉式操作パネル２２が閉の時に比べて、直接換気装置３への赤外線発信であり、赤外線通信の信頼性が高いことより、開閉式操作パネル２２を開いているときの操作である換気装置３の入、切、風量調節キー２５が操作されたときや開閉式操作パネル２２内の後ろスイッチ２３が操作されたときは、其の操作毎に１回のみ所定の信号発信とすることで、不要な赤外線発振を省くことができ、発信手段である赤外線ＬＥＤの高寿命化を促進することができる。
【００４９】
また、開閉式操作パネル２２開の時の赤外線発振回数を１回のみで短くしたことにより、キーの連続押し時の赤外信号出力応答性を高めることができ使い勝手が良い。換気装置３の風量調節キーは実用においても連続押しされる使い方が想定され、発振回数を１回とすることは、操作性の向上につながる。
【００５０】
また、開閉式操作パネルが開かないと操作できないキーとその他操作スイッチを識別して、赤外線発振回数を切り替えているため、開閉式操作パネルの開閉検知手段は不要であり安価な構成となる。
【００５１】
（実施の形態３）
図７は実施の形態３のブロック図と、赤外線出力タイミングを示したものである。制御部３１は、（図示してない）タイマ停止機能３２（タイマ停止手段）を有する。
【００５２】
使用者が天面スイッチ１６で、左ＩＨ用の加熱コイル１２の残時間の設定と行うと、天面制御部１５より制御部３１に残時間が伝えられると共に天面表示部１７に残時間を表示し、制御部３１は加熱コイル１２の加熱開始時から残時間のカウントダウンを行い、残時間が０になると、インバータ回路１８に加熱コイル１２の加熱停止を指示し、インバータ回路１８は加熱コイル１２の加熱を停止する。上記、タイマ調理終了時は、使用者が機器の前に立っている可能性は少なくまた、開閉式操作パネル２２の状態も不確定であるため、（ａ）に示すように、加熱オフの信号を２回送信している。
【００５３】
以上のように本実施の形態によれば、時間経過し、自動で加熱手段の加熱を停止する時に、第１の発信手段２６もしくは第２の発信手段２７から複数回同一の加熱オフ信号を換
気装置３に発信することで、使用者の有無、機器の開閉式操作パネル２２の開閉状況にかかわらす、タイマ調理終了時の換気装置３との赤外線通信を信頼性高く行なうことができる。例えば、タイマ調理終了時、換気装置３の動作を停止させたり、その風量を小さくすしたりすれば、不要な換気動作を削減でき省エネ効果がある。
【００５４】
次にまた、制御部３１は、（図示していない）自動調理機能３３（自動調理手段）を有している。自動調理機能３３は、あらかじめ決められたシーケンスに従って加熱コイル１２の加熱開始、加熱停止、火力を制御し、シーケンスが全て終了すると、加熱を停止して、使用者に自動調理の終了を知らせる機能である。
【００５５】
自動調理機能３３を使用する場合は、使用者が天面スイッチ１６で、所望の自動調理メニューを選択し、自動調理メニューの開始操作を行うと、制御部３１に所望の自動調理メニューを伝えると共に天面表示部１７に左ＩＨ用の自動調理メニューを表示し、制御部３１はあらかじめ決められたシーケンスに従って、インバータ回路１８に加熱コイル１２の加熱開始、停止、火力を指示する。
【００５６】
インバータ回路１８は制御部３１に指示された動作に従って、加熱コイル１２の火力制御を行う。
【００５７】
制御部３１は、全てのシーケンスを終了させるとインバータ回路１８に加熱コイル１２の加熱停止を指示すると共に、天面制御部１５に所望の自動調理メニューの加熱を終了したことを伝え、天面制御部１５の天面表示部１７は、自動調理メニューの終了を表示して、使用者に知らせる。
【００５８】
上記、自動調理終了時は、使用者が機器の前に立っている可能性は少なくまた、開閉式操作パネル２２の状態も不確定であるため、（ｂ）に示すように、加熱オフの信号を２回送信している。
【００５９】
以上のように本実施の形態によれば、自動調理手段のシーケンスが終了し、自動で前記加熱手段の加熱を停止する時に、第１の発信手段２６もしくは第２の発信手段２７から複数回同一の加熱オフ信号を換気装置３に発信することで、使用者の有無、機器の開閉式操作パネルの開閉状況にかかわらす、自動調理終了時の換気装置との赤外線通信を信頼性高く行なうことができる。例えば、自動調理終了時、換気装置の動作を停止させたり、その風量を小さくすしたりすれば、不要な換気動作を削減でき省エネ効果がある。
【産業上の利用可能性】
【００６０】
本発明の加熱調理器は、赤外線通信を行なう加熱調理器以外の加熱調理器に利用でき、赤外線以外の波長の光や電波を媒体とした通信や、超音波通信での利用も可能である。
【図面の簡単な説明】
【００６１】
【図１】本発明の実施の形態１における加熱調理器と換気扇の外観を示す図
【図２】本発明の実施の形態１における加熱調理器の構造図
【図３】本発明の実施の形態１における閉じた状態の操作パネル構造図
【図４】本発明の実施の形態１における開いた状態の操作パネル構造図
【図５】本発明の実施の形態１におけるシステムブロック図
【図６】本発明の実施の形態２におけるシステムブロック図
【図７】本発明の実施の形態３におけるシステムブロック図
【図８】本発明の実施の形態１、２、３における第２の発信手段での通信経路を示す図
【図９】本発明の実施の形態１、２、３における第１の発信手段での通信経路を示す図
【図１０】従来例の加熱調理器と換気扇の外観を示す図
【符号の説明】
【００６２】
１  誘導加熱調理器（加熱調理器）
３  換気装置
６  受信部
１０  トッププレート
１６  天面スイッチ（加熱制御操作キー）
２２  開閉式操作パネル
２５  換気扇スイッチ（換気装置の入、切、風量調節キー）
２６  第１の発信手段
２７  第２の発信手段
３１  制御部（制御手段）
４０  天面操作表示部
【図１】
2010025401.tif 000003
【図２】
2010025401.tif 000004
【図３】
2010025401.tif 000005
【図４】
2010025401.tif 000006
【図５】
2010025401.tif 000007
【図６】
2010025401.tif 000008
【図７】
2010025401.tif 000009
【図８】
2010025401.tif 000010
【図９】
2010025401.tif 000011
【図１０】
2010025401.tif 000012